(57)【特許請求の範囲】
【請求項１】
ケースに移動ユニットを設けるとともに当該移動ユニットにディスクを載置するための載置部を設け、当該移動ユニットを前記ケースの内部と外部との間で移動可能に設けたディスクの記録及び／又は再生装置において、
ディスクが載置される部分の外周部であって、ディスクが載置される部分の略中心を通る直線上に、前記載置部におけるディスクが載置される部分が認識できる発光手段を設け、
前記発光手段を設けた位置に対応する前記載置部に切欠部を設けると共に、
前記載置部における前記切欠部には、当該切欠部に沿った円弧部を有する半透明部材が取り付けられている
ディスクの記録及び／又は再生装置。
【請求項２】
前記載置部におけるディスクが載置される部分の外周部に、ディスクを取り外すための凹部を形成した
請求項１に記載のディスクの記録及び／又は再生装置。
【発明の詳細な説明】
【０００１】
【発明の属する技術分野】
本発明は、ディスクをチャッキングして記録及び／又は再生を行なう記録及び／又は再生装置に関する。
【０００２】
【従来の技術】
音声や映像の記録及び／又は再生用のディスクとしてコンパクトディスク（以下、単にＣＤという）や、デジタルバースタイルディスク（ＤＶＤ）があり、これらのディスクの記録及び／又は再生装置も市場に多く出回っている。例えば車載用のＣＤの再生方式としては、複数枚のコンパクトディスク（以下、単にＣＤという）をマガジンに収容してマガジン単位でまとめて複数枚のＣＤを一度に交換するとともに選択したＣＤを順に再生する方式のものと、その都度に一枚ずつＣＤを交換して再生する方式のものとがある。
【０００３】
後者の方法のディスクの記録及び／又は再生装置は、車室内のインダッシュの定められた空間に収容される。この車載用のディスクの記録及び／又は再生装置は、１ＤＩＮサイズと呼ばれる一定の寸法の略直方体のケース内にφ１２０ｍｍのＣＤを挿入して一枚ずつ再生するようになっている。
【０００４】
従来のディスクの記録及び／又は再生装置は、ケースの内部から移動台が引き出され、移動台上のトレイに形成された円形のディスク用凹部にＣＤを載せてケースの内部に移動台が挿入されると、トレイ上で位置決めされたＣＤに対し、スピンドルモータの出力軸に取り付けられたターンテーブルを上昇させ、ターンテーブルから突出するツメをＣＤの孔に嵌合してＣＤをターンテーブルに装着するチャッキングを行ない、スピンドルモータによりＣＤを回転させながら光ピックアップをＣＤの半径方向へ移動させ、ＣＤの再生を行なう。
【０００５】
【発明が解決しようとする課題】
ところが、ＣＤをディスク用凹部に載置する際に、置く前のＣＤの位置がずれていると、ＣＤから手を離したときにＣＤがディスク用凹部に入り込まずに手間取ることがある。
【０００６】
また、夜にＣＤを再生する場合はディスク用凹部の位置を視覚的に認識することができず、不便である。
【０００７】
更に、ディスク用凹部に載置されているＣＤを取り出すのも困難を伴なう場合がある。
【０００８】
そこで本発明は、斯かる課題を解決したディスクの記録及び／又は再生装置を提供することを目的とする。
【０００９】
【課題を解決するための手段】
斯かる目的を達成するための本発明の構成は、ケースに移動ユニットを設けるとともに当該移動ユニットにディスクを載置するための載置部を設け、当該移動ユニットを前記ケースの内部と外部との間で移動可能に設けたディスクの記録及び／又は再生装置において、ディスクが載置される部分の外周部であって、ディスクが載置される部分の略中心を通る直線上に、前記載置部におけるディスクが載置される部分が認識できる発光手段を設けた。さらに、前記発光手段を設けた位置に対応する前記載置部に切欠部を設けると共に、前記載置部における前記切欠部には、当該切欠部に沿った円弧部を有する半透明部材が取り付けられていることを特徴とする。
【００１０】
【発明の実施の形態】
以下、本発明によるディスクの記録及び／又は再生装置の実施の形態を説明する。この実施の形態は、ディスクの記録及び／又は再生装置を車載用のＣＤのディスクプレーヤに適用したものである。
【００１１】
＜構成＞
（Ａ）ディスクの記録及び／又は再生装置の全体構成
図１，３，６，７，１０に示すように、ディスクの記録及び／又は再生装置は大きく分けて、ケース１と、ＣＤを載せてケース１の内部へ引き込む移動ユニット２と、移動ユニット２を駆動する移動用駆動手段３と、ＣＤがケース１の内部に引き込まれた状態で移動ユニット２をロックするロック手段４と、移動ユニット２上でＣＤをチャッキングして回転させるディスク駆動手段５と、回転するＣＤから情報を読み取るピックアップユニット６と、前記ケース１を収容して取り付ける外枠１０（図１０）とで構成される。
【００１２】
（Ｂ）ケース
ケース１は、図３に示すように、底板１ａと、左側板１ｂと、右側板１ｃと、背板１ｄとで成り立っており、板材を切り欠き、折り曲げ、また組み合わせて構成されている。そして、左側板１ｂ，右側板１ｃと一体に形成されて夫々背面側で折り曲げた結合板１ｅ，１ｆの部分が背板１ｄの左右と結合されてケース１の剛性が確保されている。
【００１３】
（Ｃ）移動ユニット
ケース１の内部には、移動ユニット２が設けられている。移動ユニット２は第一移動台８と第二移動台９とで構成されている。第一移動台８は第一ガイド手段を介してケース１に移動自在に設けられ、第二移動台９は第二ガイド手段を介して第一移動台８に移動自在に設けられている。第一移動台８は、底板８ａと左側板８ｂと右側板８ｃとで構成され、第二移動台９は、底板９ａと左側板９ｂと右側板９ｃとで構成されている。
【００１４】
前記第一ガイド手段は、ケース１の底板１ａ，左側板１ｂ，右側板１ｃに前後方向に沿って形成されたガイド孔１０ａ，１０ｂ，１０ｃと、第一移動台８の底板８ａ，左側板８ｂ，右側板８ｃに下方又は外側へ向かって突出するガイドピン１０ｄ，１０ｅ，１０ｆとで構成され、ガイドピン１０ｄ，１０ｅ，１０ｆがガイド孔１０ａ，１０ｂ，１０ｃに遊嵌されている。
【００１５】
前記第二ガイド手段は、第一移動台８の底板８ａの右側と中央部近傍に前後方向に沿って形成されたガイド孔１１ａ，１１ｂと、第二移動台９の底板９ａの背後側に下方へ向かって突出する単一のガイドピン１１ｃ及び一対のガイドピン１１ｄとで構成され、単一のガイドピン１１ｃがガイド孔１１ａに、一対のガイドピン１１ｄがガイド孔１１ｂに遊嵌されている。ガイド孔１１ａ，１１ｂからの抜けを防止するため、ガイドピン１１ｃ，１１ｄは径大部となっている。
【００１６】
ケース１と移動可能な第一移動台８と第二移動台９との各部材間には、遊びが生じないように一方を他方へ向かって付勢する板バネが設けられている。即ち、以下のようになっている。第一移動台８の左右方向での遊びを防止するため、第一移動台８の右側板８ｃの外側には両端がケース１の右側板１ｃの内側を押圧する板バネ１２の中央部が結合されている。第二移動台９の左右方向での遊びを防止するため、第二移動台９の右側板９ｃの内側には第一移動台８の右側板８ｃの内側を押圧する図示しない板バネが取り付けられている。第一移動台８の上下方向での遊びを防止するため、第一移動台８の底板８ａにおける背面側の下面には、図3，図５に示すようにＨ形状の板バネ１６がネジ１７を介して設けられている。板バネ１６は複数の屈曲部を有し、第二移動台９を押圧する４つの上押圧部１６ａと、ケース１を挿圧する図示しない４つの下押圧部とが形成されている。４つの上押圧部１６ａは第一移動台８に形成された４つの切欠部１８から上方へ突出している。
【００１７】
（Ｄ）移動用駆動手段
移動ユニット２を駆動して第二移動台９をケース１の外へ引き出したり、あるいはケース１内へ挿入したりするために移動用駆動手段３が第一移動台８に設けられている。移動用駆動手段３は、ケース１に対する第一移動台８の駆動と、第一移動台８に対する第二移動台９の駆動との双方の駆動を単一の移動用駆動源である移動用モータで行うように構成されている。即ち、図３，４，６，７に示すように、ケース１と移動可能な第一移動台８と第二移動台９とのうちの中間に位置する第一移動台８に単一の移動用モータ２０によって駆動される一対の歯車２１，２２が設けられる一方、ケース１と第二移動台９とには歯車２１，２２に夫々噛み合うラック３６，３７が設けられている。以下、これについて詳細に説明する。
【００１８】
図３に示すように、第一移動台８の背後側の左側には、底板８ａを切り欠いて曲げ成形することにより、底板８ａよりも少し高い高台８ｄが形成される一方、第二移動台９の左側には、高台８ｄが下方へ入り込むための高台９ｄと、前記歯車２１，２２の干渉から逃げるための堀下台９ｅとが形成されている。
【００１９】
高台８ｄの下面であって前面側には前記歯車２１，２２が回転自在に設けられ、図６のように双方の歯車２１，２２に噛み合うピニオンギヤ部２５ａと、平歯車部２５ｂとを有する歯車２５が設けられている。高台８ｄの背後側には前記移動用モータ２０が取り付けられ、移動用モータ２０の上半分と下半分とが夫々高台８ｄの上下から略半分ずつ突出している。この移動用モータ２０と前記歯車２５とが歯車群を介して連動連結されている。即ち、図6，図７のようになっている。
【００２０】
高台８ｄを貫通する貫通軸２７が軸受を介して回転自在に設けられ、貫通軸２７の上端に固着したプーリ２９と移動用モータ２０の出力軸に固着したプーリ３０とに、ベルト３１が掛けられている。プーリ２９，３０とベルト３１とは歯付のものが用いられている。貫通軸２７の下端にはピニオンギヤ３２が固着され、ピニオンギヤ３２は、高台８ｄの下面に設けられた平歯車部３３ａとピニオンギヤ部３３ｂとからなる歯車３３と、歯車３４と、平歯車部３５ａとピニオンギヤ部３５ｂとからなる歯車３５とを介して歯車２５に連動連結されている。
【００２１】
第二移動台９における高台９ｄの右側の鉛直部９ｆと、ケース１における左側板１ｂの内側とには、ラック３６，３７が設けられている。ケース１の内部に第二移動台９が完全に収容された状態で第二移動台９をロックする前記ロック手段（後述する）４を構成するため、図６に示すように、ラック３６，３７は、固定されて動かない固定ラック３８，３９と、固定ラック３８，３９に対して一歯分だけラックの長さ方向へ移動自在な可動ラック４０，４１とで構成されている。可動ラック４０，４１は固定ラック３８，３９と一体になって歯車２１，２２に噛み合う協働部４０ａ，４１ａと、独立して歯車２１，２２に噛み合う独立部４０ｂ，４１ｂとで構成される。固定ラック３８，３９の上に可動ラック４０，４１の協働部４０ａ，４１ａが摺動自在に設けられている。また、図７に示すように、可動ラック４０，４１を案内するために、可動ラック４０，４１には突起４０ｃ，４０ｃ・突起４１ｃ，４１ｃが形成される一方、第二移動台９，ケース１にはガイド孔４２ａ・ガイド孔４３ａ，４３ｂ（図３）が形成されている。そして、独立部４０ｂ，４１ｂを固定ラック３８，３９へ向かって押圧するように可動ラック４０，４１を付勢する付勢手段として、図７に示すように、第二移動台９に形成した軸４６を囲繞するようにして設けたバネ４７の一端が可動ラック４０に形成された孔４０ｄに挿通され、他端が第二移動台９と一体に形成されたバネ掛け部４８に掛けられる一方、可動ラック４１のロッド部４１ｄとケース１の左側板１ｂから内側へ突出させて設けたバネ掛け部４４とを囲繞するようにして圧縮コイルバネ４５が設けられている。
【００２２】
（Ｅ）ロック手段
第二移動台９をケース１の内部でロックするためのロック手段４は、図７に示すように、ケース１における底板１ａの前面中央側に立設したロックピン５０と、第二移動台９の下面であって前面中央側に回動自在に設けたロックレバー５１等により構成される。ロックレバー５１は固定軸５２に回動自在に設けられ、ロックレバー５１の基端部に一体に形成された係合部５１ａが、第二移動台９の底板９ａに形成した切欠部５３を介して底板９ａの上方へ突出している。固定軸５２における底板９ａの上方へ突出した部分を囲繞するように設けたバネ５４の一端が底板９ａから突出して形成されたバネ受け５５とロックレバー５１の基端部との間に掛けられており、ロックレバー５１はバネ５４によりロックピン５０をロックする方向へ付勢されている。ケース１に設けた前記ロックピン５０は、前記固定軸５２とは干渉しないように、図７における固定軸５２の少し左の上下方向の軌道に沿って移動し、バネ５４の付勢力が加わって図７（ａ）のようにロックレバー５１が傾いた状態では、ロックピン５０はロックレバー５１の先端によって拘束されて上方へは動けず、ロックピン５０はロックされる。ロックピン５０は第一移動台８を貫通した状態でロックレバー５１を設けた第二移動台９の下面に届くので、第一移動台８の底板８ａには、ロックピン５０が貫通して移動できるようにするための長孔５６が形成されている。
【００２３】
（Ｆ）ディスク駆動手段
図３に示すように、前記第二移動台９には再生ユニット５９が設けられている。再生ユニット５９にはディスク駆動手段５とピックアップユニット６とが組み込まれている。ＣＤが第二移動台９の中央に位置してかつ再生用の光ピックアップ６０がＣＤの半径方向へ走行するように設定する場合に、第二移動台９の底板９ａの面積を最も小さくできるのは、光ピックアップ６０の走行方向が底板９ａの対角線の方向となる場合であり、そのような目的を満たす位置に支持部を構成するユニットベース６１が配置されている。図３，４のように３本の支柱６２が第二移動台９の底板９ａに立設され、支柱６２にゴム製の緩衝材を介してユニットベース６１が位置決めされている。
【００２４】
ユニットベース６１における、第二移動台９の中央と対応する位置に、ディスク駆動手段５が設けられている。即ち、ユニットベース６１の下面に図示しないスピンドルモータが取り付けられ、ユニットベース６１を貫通して上方へ突出したスピンドルモータの出力軸６６には、ＣＤを回転させるためのターンテーブル６７が固着されている。ターンテーブル６７の中央には、ＣＤの中央の孔へ嵌め込む円柱形の凸部６７ａが形成されている。また、ＣＤをターンテーブル６７上でチャッキングするとともに小さな力を加えればＣＤをターンテーブル６７上に装着しあるいはターンテーブル６７から取り外すことができるチャッキング手段が設けられている。
【００２５】
チャッキング手段の構成を以下に説明する。凸部６７ａの外周部には１２０度間隔で等配に３つの凹部が形成されている。図示しないストッパ部を有するツメ６８が半径方向へ移動自在な状態で凹部に収容され、図示しないバネにより外側へ付勢されている。ツメ６８には、ＣＤを装着する際と取り外す際とにＣＤから受ける力を、凸部６７ａの中心へ向かってツメ６８を押圧する力に変換することになるテーパ部が形成されている。
【００２６】
ユニットベース６１に組み込まれたピックアップユニット６について説明する。ユニットベース６１には、ターンテーブル６７の中心を通る線に沿ってスリット６１ａが形成されている。そして、光ピックアップ６０をスリット６１ａに沿って案内する図示しないガイド手段と、光ピックアップ６０をスリット６１ａに沿って往復駆動する図示しない走行駆動手段とが設けられているが、これらの構成は既存の構成と同じなので説明を省略する。
【００２７】
（Ｇ）トレイ等
図３に示すように、第二移動台９における第一移動台８上の移動用モータ２０と対応する隅部が切り欠かれており、当該移動用モータ２０が第二移動台９の上方へ突出している。そして、図１，図４のように再生ユニット５９と移動用モータ２０とを除いた部分を埋めるような形状に成形したプリント板８１が第二移動台９の上に結合されている。プリント板８１には、第二移動台９が第一移動台８上から最も移動した位置で移動用モータ２０の回転を止めるリミットスイッチ８３と第二移動台９が第一移動台８と完全に重なった位置で移動用モータ２０の回転を止めるリミットスイッチ８４とが設けられ、第一移動台８にはリミットスイッチ８３のドグを動かすための切欠部８ｅとリミットスイッチ８４のドグを動かすための段部８ｆとが形成されている。
【００２８】
図３に示すように、第二移動台９の上には、略正方形の樹脂からなるトレイ（載置部）８５が、前記再生ユニット５９を取り付けた支柱６２にねじ込むネジ等を介して取り付けられている。トレイ８５には再生ユニット５９が嵌まり込む切欠部８５ａが形成されており、トレイ８５は前記プリント板８１及び移動用モータ２０を覆っている。トレイ８５にはＣＤを載せるための円形のディスク用凹部８５ｂが形成されている。そして、ＣＤを半径方向に挟んでトレイ８５上に載せたり取り除いたりするために一対の切欠部８５ｃが形成され、円弧部（切欠部）８６ａを有する半透明部材８６がトレイ８５の下面側から取り付けられ、夫々の切欠部８５ｃに半透明部材８６の一部が嵌まり込んでいる。このほか、トレイ８５上のＣＤを取り除く際に中指又は人差し指でターンテーブル６７の凸部６７ａを押さえて親指でＣＤの外周部を持ち上げるための円形の親指用凹部８５ｄが、トレイ８５の前面側の左右の隅部に形成されている。なお、図５の左右の半透明部材８６における円弧部８６ａどうしの距離Ａは、ＣＤの直径よりもやや小さい値のＡ＝１１．５ｃｍとされ、ＣＤの装着と取り外しが容易となる。
【００２９】
前記半透明部材８６の部分から光を放出することにより、載せるＣＤの位置決めを可能にするため、プリント板８１における半透明部材８６と対応する位置には、発光ダイオード（発光手段）９２が夫々設けられている。
【００３０】
（Ｈ）パネル枠・移動パネル
図９に示すように、外枠１０が設けられ、外枠１０内の上部に収容して前記ケース１が取り付けられている。そして、外枠１０の前面側には樹脂製のパネル枠８７が取り付けられている。パネル枠８７には第一移動台８，第二移動台９を引き出し・挿入するための開口部８７ａが形成されている。
【００３１】
一方、図３に示すように、第二移動台９の前面側には樹脂製のサブパネル８８が取り付けられている。移動パネル８８には水平方向へ貫通する長孔状の貫通孔が形成され、貫通孔の左端には第二移動台９をケース１の外部へ引き出し・挿入するための挿脱スイッチ８９が挿入され、貫通孔８８の右端にはＣＤを回転させるためのスタートスイッチ９０が挿入されている。挿脱スイッチ８９，スタートスイッチ９０は、いずれもスライド可能で、かつ貫通孔から抜け落ちないようになっている。貫通孔における挿脱スイッチ８９，スタートスイッチ９０の間には半透明部材９１が挿入されて固着されている。
【００３２】
次に、パネル枠８７と移動パネル８８との関係を、図９に基づいて説明する。第二移動台９がケース１の内部に完全に収容された状態ではパネル枠８７の開口部８７ａが移動パネル８８によって閉塞されるようになっている。手前側へ引き出された移動パネル８８が開口部８７ａへ引き込まれる際に、多少の位置ずれがあっても最終的には適正な位置へ案内され、かつ隙間があっても内部が見えないようにするための構成が採用されている。即ち、開口部８７ａの高さ寸法及び幅寸法の大きさについて前面側に比べて背面側の方が小さく設定されて内周面にテーパ８７ｂが形成されており、サブパネル８８の外周面には開口部８７ａの内周面との隙間が均一になるようにテーパ８８ｂが形成されている。これにより、パネル枠８７と移動パネル８８との隙間寸法はＧ＝０．５ｍｍとなっている。
【００３３】
図１，図４に示すように、前記プリント板８１における前記挿脱スイッチ８９，スタートスイッチ９０と対応する位置には、スイッチ９３，９４が設けられている。また、プリント板８１における挿脱スイッチ８９，スタートスイッチ９０，半透明部材９１と対応する位置には発光ダイオード９５が夫々設けられている。
【００３４】
（Ｉ）フロントパネル
図９に示すように、パネル枠８７には、操作パネルすなわちフロントパネル１００が開閉可能に設けられている。フロントパネル１００は、図示しないフレキシブルなハーネス等を介してケース１０の内部と電気的に接続されており、図１０に示すように、ＣＤがケース１の内部へ挿入された状態で、操作するための操作釦９８等と、再生される曲名や音の強弱等を表示するための表示部９９とを有する。
パネル枠８７とフロントパネル１００との関係を図９に基づいて説明する。フロントパネル１００はパネル枠８７の前面凹部８７ｃに嵌め込まれている。ガイドピン１０５とガイド孔１０６とにより案内されて左右方向へスライド自在なスライド部材１０１がパネル枠８７の左右に設けられ、夫々のスライド部材１０１における図９中の左端にピン１０２を介してフロントパネル１００の下部が回動自在に結合されている。一方、パネル枠８７の左右には上下方向へ向かうガイド溝１０４が形成され、フロントパネル１００の上部に設けられたピン１０３がガイド溝１０４に遊嵌されている。そして、前記スライド部材１０１を往復駆動するための駆動手段として、図示しないパネル用モータが設けられている。
【００３５】
＜作用＞
次に、ＣＤをケース１内に収容して再生するための手順について説明する。
【００３６】
（Ａ）移動台の引き出し
まず、パネル枠８７の前面凹部８７ｃ内のフロントパネル１００を下げて開くために、フロントパネル１００の操作面に設けた所定の操作釦９８を押し、パネル用モータを回転させる。すると、図９(ａ)の状態からスライド部材１０１が図９（ｂ）中の左へ移動し、フロントパネル１００の下部が左方へ移動するとともにピン１０３がガイド溝１０４に沿って下方へ移動し、フロントパネル１００の操作面が上を向いた図９(ｂ)の状態に開く。
次に、図１０の状態で移動パネル８８の挿脱スイッチ８９を押す。すると、移動用モータ２０が回転を開始し、移動用モータ２０の回転力が歯車群を介して歯車２５へ伝わり、歯車２１，２２が同一方向へ回転する。すると、図６の歯車２１，２２が噛み合っている可動ラック４０，４１が、矢印で示すように相互に反対方向へ移動する。このとき、図８のように、最初に例えば固定ラック３８に対して可動ラック４０が一歯分のｓだけ移動する。図7（ａ）の状態から一方の可動ラック４０が図中の下方へｓだけ移動すると、可動ラック４０の段部４０ｅが係合部５１ａを図中の下方へ押し、ロックレバー５１がバネ５４の付勢力に抗して固定軸５２を中心として回動し、図７（ｂ）のようにロックレバー５１の先端がロックピン５０の軌道から外れる。そして、一歯分のｓだけずれた状態で、固定ラック３８・可動ラック４０の双方に沿って歯車２１が転がる一方、固定ラック３９・可動ラック４１の双方に沿って歯車２２が転がり、第一移動台８に対してケース１と第二移動台９とが相互に反対方向へ突出することになる。見方を変えれば、ケース１に対して第一移動台８が前面側へ移動し、第一移動台８に対して第二移動台９が前面側へ移動することになる。これにより、移動パネル８８がパネル枠８７の開口部８７ａから出たのちに第一移動台８と第二移動台９とが順に開口部８７ａから突出し、第二移動台９の略全体がケース１の外へ出て図４及び図５のＣＤの排出状態となる。そして、リミットスイッチ８３のドグが切欠部８ｅに入り込むと、移動用モータ２０の回転が止まる。
【００３７】
（Ｂ）ディスクの装着と移動台の挿入
このあと、親指と中指とでＣＤを半径方向から挟み、トレイ８５上に載せ、ターンテーブル６７の凸部６７ａをＣＤの孔へ挿入させてＣＤの中心部近傍を下方へ押す。すると外側へ向かって図示しないバネで押されるツメ６８によりＣＤがターンテーブル６７上でチャッキングされる。なお、夜間等の暗いときにＣＤをチャッキングするには発光ダイオード９２により一対の半透明部材８６と単一の半透明部材９１とが光るようになりＣＤの載置位置が明確になるようになっている。
そしてスタートスイッチ９０を押すと、前記移動用モータ２０が前記とは反対の方向へ回転し、第一移動台８，第二移動台９がケース１の内部に挿入され、ターンテーブル６７が回転し、光ピックアップ６０が走行して、ＣＤが再生される。尚、スタートスイッチ９０の代わりに挿脱スイッチ８９を押すと、移動用モータ２０が同様に反対方向に回転し、第一移動台８，第二移動台９がケース１内に挿入される（但し、この場合はＣＤの再生は行わない）挿入状態となる（図１及び図２の状態。但し図１及び図２ではＣＤは図示していない）。この時、開口部８７ａの内周面にはテーパ８７ｂが形成され、移動パネル８８の外周面にはテーパ８８ｂが形成されているので、双方のテーパが相互に案内の機能を果たし、移動パネル８８が開口部８７ａに円滑に嵌まり込む。
【００３８】
第一移動台８，第二移動台９がケース１の内部に収容されると、ロックピン５０が第二移動台９の下面に沿って相対的に前面側へ移動し、バネ５４の付勢力に抗してロックレバー５１が回動させられ、その後に復帰する。つまり、第一移動台８，第二移動台９が完全にケース１内に収容されるとロックピン５０はロックレバー５１の先端によりロックされる。このとき、リミットスイッチ８４のドグが段部８ｆと係合し、移動用モータ２０の回転が止まる。また、歯車２１，２２は固定ラック３８，３９から外れた位置まで移動して少し回転するので、歯車２１，２２は可動ラック４０，４１のみと噛み合って可動ラック４０，４１を一歯分だけ前記と逆方向へ移動させて元の位置へ戻させることになる。
【００３９】
（Ｃ）ディスクの再生
以上のようにしてケース１の内部へＣＤを収容したら、その後にフロントパネル１００を、前記とは逆の手順で動かして閉じる。このあと、フロントパネル１００上の図示しないスタートスイッチを操作してもよいが、パネル枠８７上の前記スタートスイッチ９０を既に操作したので、ロックピン５０がロックレバー５１によってロックされた後に、スピンドルモータが回転してターンテーブル６７上のＣＤが回転を開始すると同時に、光ピックアップ６０がスリット６１ａ内をＣＤの半径方向に沿って移動し、ＣＤの再生が行われる。
【００４０】
（Ｄ）移動台からのディスクの取り出し
再生の終了後は、フロントパネル１００を開いたのち、挿脱スイッチ８９を押して第二移動台９を再びケース１の外へ引き出し、ターンテーブル６７からＣＤを取り外す。この場合、一対の円弧部８６ａの位置でＣＤを挟持して上へ引いてもよく、中指又は人差し指を凸部６７ａに当てた状態で親指用凹部８５ｄへ親指を入れて持ち上げるようにしてもよい。ＣＤを外した後は再び挿脱スイッチ８９を押し、第二移動台９をケース１の中へ収容し、フロントパネル１００を閉じる。
【００４１】
なお、本実施の形態はディスクの記録及び／又は再生装置をディスクの再生を行うディスクプレーヤに適用したものであるが、ディスクの記録装置又はディスクの記録及び再生を行う装置に適用してもよい。そして、ＣＤはφ１２０ｍｍのものを用いたがφ８０ｍｍのものを再生することもできる。
【００４２】
また、ディスクが載置される部分の外周の、円弧の一部又は全部に沿って発光手段を設けるようにしてもよい。
【００４３】
【発明の効果】
以上の説明からわかるように、請求項１〜５に係るディスクの記録及び／又は再生装置によれば、載置部におけるディスクが載置される部分が認識できる位置に切欠部又は発光手段又はこれらの双方を設けたので、触覚あるいは視覚あるいはこれらの双方によりディスクが載置される部分を認識することが容易となり、載置部上にディスクを載せる際のディスクの位置決めが容易である。
【００４４】
請求項６に係るディスクの記録及び／又は再生装置によれば、載置部におけるディスクが載置される部分の外周部に凹部を形成したので、凹部に指を入れることにより載置部上のディスクを指で挟んで容易に取り出すことができる。
【図面の簡単な説明】
【図１】本発明によるディスクの記録及び／又は再生装置の実施の形態を示す斜視図。
【図２】本発明によるディスクの記録及び／又は再生装置の実施の形態を示す平面図。
【図３】本発明によるディスクの記録及び／又は再生装置の実施の形態を示す分解斜視図。
【図４】本発明によるディスクの記録及び／又は再生装置の実施の形態に係り、移動台がケースから引き出された状態を示す斜視図。
【図５】本発明によるディスクの記録及び／又は再生装置の実施の形態に係り、移動台がケースから引き出された状態を示す平面図。
【図６】本発明によるディスクの記録及び／又は再生装置の実施の形態に係り、移動台を駆動するための移動用駆動手段の斜視図。
【図７】移動用駆動手段およびロック手段の構成と作用とを説明するための平面図。
【図８】ロック手段の作用を説明するための平面図。
【図９】パネル枠と移動パネルとフロントパネルとの関係を示す構成図。
【図１０】フロントパネルが開いた状態を示す斜視図。
【符号の説明】
１…ケース
８…第一移動台
９…第二移動台
８５…トレイ
８５ｂ…ディスク用凹部
８５ｃ…切欠部
８５ｄ…親指用凹部
８６…半透明部材
８６ａ…円弧部
９２…発光ダイオード
【図１】
0004529331.tif 000002
【図２】
0004529331.tif 000003
【図３】
0004529331.tif 000004
【図４】
0004529331.tif 000005
【図５】
0004529331.tif 000006
【図６】
0004529331.tif 000007
【図７】
0004529331.tif 000008
【図８】
0004529331.tif 000009
【図９】
0004529331.tif 000010
【図１０】
0004529331.tif 000011